Podtech/llm-jp-corpus-v4-ja_patent huggingface dataset:
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
挿入デバイスを用いて体内デバイスを挿入するための経カテーテル挿入システムであって、前記システムは、前記体内デバイス及び／又は前記挿入デバイスのための通路を形成するように配置構成された外側シースを含み、前記外側シースは、前記挿入デバイスを案内するための手段を含む、システム。
【請求項２】
前記案内するための手段は、前記外側シースの遠位端に隣接して又は前記遠位端に配置されている、請求項１に記載のシステム。
【請求項３】
前記案内するための手段は、実質的に環形状である、請求項１又は２に記載のシステム。
【請求項４】
前記案内するための手段の内寸法は、前記外側シースの内寸法より小さい、請求項１〜３のいずれか一項に記載のシステム。
【請求項５】
前記案内するための手段は、実質的に剛性を有する材料を含む、請求項１〜４のいずれか一項に記載のシステム。
【請求項６】
前記案内するための手段は、膨張可能バルーンを含む、請求項１〜４のいずれか一項に記載のシステム。
【請求項７】
前記案内するための手段は、検知及び／又は可視化を行うための手段を含む、請求項１〜６のいずれか一項に記載のシステム。
【請求項８】
前記案内するための手段は、Ｘ線技術、蛍光透視法、心エコー検査法、超音波技術、心腔内心エコー検査（ＩＣＥ）法、経食道心エコー検査法（ＴＥＥ）、経胸部心エコー検査法（ＴＴＥ）、及び磁気共鳴画像法（ＭＲＩ）のいずれか１つによって可視となる材料を含む、請求項７に記載のシステム。
【請求項９】
前記挿入デバイスは、ガイドワイヤ、拡張器、及び送達シースのうちの１つ以上を含む、請求項１〜８のいずれか一項に記載のシステム。
【請求項１０】
前記挿入デバイスは、ガイドワイヤ、拡張器、及び送達シースを含む一体型デバイスである、請求項１〜９のいずれか一項に記載のシステム。
【請求項１１】
前記ガイドワイヤは、一体形成された穿刺ヘッドを含む、請求項９又は１０に記載のシステム。
【請求項１２】
前記挿入デバイスは、前記ガイドワイヤに対して摺動可能な拡張器を含む、請求項９〜１１のいずれか一項に記載のシステム。
【請求項１３】
前記挿入デバイスは、前記ガイドワイヤに対して摺動可能な送達シースを含む、請求項９〜１２のいずれか一項に記載のシステム。
【請求項１４】
前記ガイドワイヤ、前記拡張器、及び前記送達シースは、互いに対して移動可能である、請求項９〜１３のいずれか一項に記載のシステム。
【請求項１５】
前記外側シース、前記送達シース、前記拡張器、及び／又は前記ガイドワイヤを誘導するための１つ以上の手段をさらに含む、請求項９〜１４のいずれか一項に記載のシステム。
【請求項１６】
前記誘導するための手段は、前記外側シース、前記送達シース、前記拡張器、及び／又は前記ガイドワイヤ上の１つ以上の湾曲部分を含む、請求項１５に記載のシステム。
【請求項１７】
前記外側シース、前記送達シース、前記拡張器、及び／又は前記ガイドワイヤを誘導するための近位ハンドルをさらに含む、請求項１５又は１６に記載のシステム。
【請求項１８】
前記誘導するための近位ハンドルは、回転ノブを含む、請求項１７に記載のシステム。
【請求項１９】
前記挿入デバイスは、前記システムの位置の検知及び／又は可視化を行うためのマーカーを含む、請求項９〜１８のいずれか一項に記載のシステム。
【請求項２０】
前記マーカーは、前記挿入デバイスの前記ガイドワイヤ、前記拡張器、及び／又は前記送達シースの上又は内に設けられている、請求項１９に記載のシステム。
【請求項２１】
前記システムの位置の検知及び／又は可視化を行うためのマーカーが、前記外側シースの上又は内に設けられている、請求項１〜２０のいずれか一項に記載のシステム。
【請求項２２】
前記マーカーは、Ｘ線技術、蛍光透視法、心エコー検査法、及び／又は超音波技術によって可視となる、請求項１９〜２１のいずれか一項に記載のシステム。
【請求項２３】
前記挿入デバイスは、前記体内デバイスに取り外し可能に接続するための手段を含む、請求項１〜２２のいずれか一項に記載のシステム。
【請求項２４】
前記挿入デバイスは、前記体内デバイスを選択的に取り付ける及び／又は前記体内デバイスから選択的に取り外すための手段を含む、請求項２３に記載のシステム。
【請求項２５】
前記接続するための手段は、１つ以上の後退可能タブを含む、請求項２３又は２４に記載のシステム。
【請求項２６】
前記体内デバイスは、コネクタ及び／又は流量調整デバイスを含む、請求項１〜２５のいずれか一項に記載のシステム。
【請求項２７】
請求項１〜２６のいずれか一項において特定されるような挿入デバイス。
【請求項２８】
請求項１〜２６のいずれか一項において特定されるような案内するための手段を含む、外側シース。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
ユーザに刺激を与える方法であって、
第１の時間間隔において、前記ユーザの左眼への左側の光刺激パターン、前記ユーザの右眼への右側の光刺激パターン、前記ユーザの左側への左側の聴覚刺激パターン、および前記ユーザの右側への右側の聴覚刺激パターンを同時に与えるステップと、
第２の時間間隔において、前記左側の光刺激パターンおよび左側の聴覚刺激パターンを与えることと、前記右側の光刺激パターンおよび右側の聴覚刺激パターンを与えることとを交互に繰り返すステップと、
第３の時間間隔において、前記左側および右側の光刺激パターンを与えることと、前記左側および右側の聴覚刺激パターンを与えることとを交互に繰り返すステップと、
第４の時間間隔において、前記左側の光刺激パターンおよび右側の聴覚刺激パターンを与えることと、前記右側の光刺激パターンおよび左側の聴覚刺激パターンを与えることとを交互に繰り返すステップと
を含む、方法。
【請求項２】
前記左側または右側の光刺激の１つまたは複数が、前記第１、第２、第３、または第４の時間間隔の１つまたは複数において、所定のパルス出力周波数で光をパルス出力するステップを含む、請求項１に記載の方法。
【請求項３】
前記左側または右側の聴覚刺激パターンの１つまたは複数が、前記第１、第２、第３、または第４の時間間隔の１つまたは複数において、所定の生成周波数で音を生成するステップを含む、請求項１または２に記載の方法。
【請求項４】
前記左または右の聴覚刺激パターンの１つまたは複数が２４０Ｈｚ〜４８０Ｈｚの聴覚周波数を含む、請求項１または２のいずれか一項に記載の方法。
【請求項５】
前記左または右の聴覚刺激パターンの１つまたは複数が、それぞれあるパルス期間を有するパルス周波数を有する一連の刺激パターンを含み、繰り返す時間信号が、前記パルス期間の一部分を含み、２４０Ｈｚ〜４８０Ｈｚの聴覚周波数および前記パルス期間の一部分を含む、請求項１または２に記載の方法。
【請求項６】
前記パルス期間の前記一部分が前記パルス期間の２分の１である、請求項５に記載の方法。
【請求項７】
前記一連の左側の光刺激パターン、右側の光刺激パターン、左側の聴覚刺激パターン、および、右側の聴覚刺激パターンが、第１のパルス周波数を有する第１の刺激パターン、前記第１のパルス周波数よりも低い第２のパルス周波数を有する第２の刺激パターン、または、前記第２のパルス周波数よりも低い第３のパルス周波数を有する第３の刺激パターンのいずれかである、請求項１または２に記載の方法。
【請求項８】
前記第１のパルス周波数が３．７５Ｈｚ〜４．２５Ｈｚであり、前記第２のパルス周波数が１．２５Ｈｚ〜１．７５Ｈｚであり、および前記第３のパルス周波数が０．２５Ｈｚ〜０．７５Ｈｚである、請求項７に記載の方法。
【請求項９】
前記第１の刺激パターン、前記第２の刺激パターン、または前記第３の刺激パターンが、所定の時間間隔において刺激する、請求項1〜7のいずれか一項に記載の方法。
【請求項１０】
前記所定の時間間隔が２５秒〜３５秒である、請求項９に記載の方法。
【請求項１１】
前記所定の時間間隔が３０秒である、請求項１０に記載の方法。
【請求項１２】
ユーザに刺激を与える装置であって、
前記ユーザの頭部に着用されるように構成されたフレームと、
左の視覚刺激パターンを生成するように構成された左の光源と、
右の視覚刺激パターンを生成するように構成された右の光源と、
左の聴覚刺激パターンを生成するように構成された左の音源と、
右の聴覚刺激パターンを生成するように構成された右の音源と、
前記左の光源、前記右の光源、前記左の音源、および前記右の音源に結合された制御装置と
を備え、
前記左の視覚刺激パターン、前記右の視覚刺激パターン、前記左の聴覚刺激パターン、および前記右の聴覚刺激パターンの印加が、請求項１に記載の方法によって制御される、装置。
【請求項１３】
前記左または右の音源の１つまたは複数が、骨伝導トランスデューサを備える、請求項１２に記載の装置。
【請求項１４】
前記制御装置が、外部の制御ユニットと通信し、かつそれによって動作されるように構成される、請求項１２に記載の装置。
【請求項１５】
前記外部の制御ユニットが前記制御装置と無線で通信する、請求項１４に記載の装置。
【請求項１６】
前記外部の制御ユニットが、パーソナルコンピュータ、ラップトップコンピュータ、タブレットコンピュータ、スマートフォン、またはウェアラブルコンピュータの１つまたは複数を備える、請求項１４または１５に記載の装置。
【請求項１７】
前記左または右の光源の１つまたは複数が発光ダイオード（ＬＥＤ）を備える、請求項１２〜１５のいずれか一項に記載の装置。
【請求項１８】
神経の疾患もしくは症状を治療するために、感覚的な刺激を生み出す、請求項１２に記載の装置。
【請求項１９】
前記神経の疾患または症状が不眠症、外傷後ストレス障害（ＰＴＳＤ）、痛み、および／または脳損傷を含む、請求項１８に記載の装置。
【請求項２０】
活動能力強化をもたらすために、感覚的な刺激を生み出す、請求項１２に記載の装置。
【請求項２１】
前記活動能力強化が、睡眠を与えること、精神的能力の改善、または物理的能力の改善である、請求項２０に記載の装置。
【請求項２２】
前記治療することが脳内のアルファ波活動の増大をもたらす、請求項２０に記載の装置。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
被験者への利用のための超音波システムであって、
前記システムは、前記被験者に対してプローブ構造を配置するように構成された自動ロボットを備え、前記プローブ構造は、
音響エネルギーを放出し、中空部を画成するプローブと、
前記プローブの下部において該プローブと位置合わせされ、突出部を備えたロードセルと、を含み、
前記ロードセルは、前記プローブにより前記被験者に対して加わる力の量を示す力示数を測定し、前記自動ロボットは、前記力示数に応じて前記プローブにより前記被験者に対して加わる力の量を調整し、前記プローブの中空部は、前記ロードセルと前記プローブとを一体に固定するために、前記ロードセルの前記突出部を受け入れ、
前記プローブ構造は、
前記プローブ及び前記ロードセルを受け取る空洞を含むプローブハブ、
を含む、
ことを特徴とするシステム。
【請求項２】
前記プローブ構造は、前記プローブと前記ロードセルとの間に介在するプローブシートをさらに備える、
請求項１に記載のシステム。
【請求項３】
前記プローブハブは、長手方向スロットを含む、
請求項１に記載のシステム。
【請求項４】
前記長手方向スロットは、前記プローブに接続されたケーブルと、前記ロードセルに接続されたワイヤとを位置合わせして保持する、
請求項３に記載のシステム。
【請求項５】
前記ロードセルに接続された前記ワイヤは、前記長手方向スロット内に静的に保持されるのに対し、前記プローブの前記ケーブルは、前記長手方向スロットに沿って動くように構成される、
請求項４に記載のシステム。
【請求項６】
前記ロードセルと、前記プローブハブの前記空洞の底部との間の接着層をさらに備える、
請求項１に記載のシステム。
【請求項７】
前記プローブ構造は、前記プローブと前記ロードセルとの間に介在するプローブシートと、前記プローブと前記プローブシートとの間の接着層とをさらに備える、
請求項１に記載のシステム。
【請求項８】
前記接着層は、エポキシを含む、
請求項７に記載のシステム。
【請求項９】
前記プローブ構造は、前記プローブと前記ロードセルとの間に介在するプローブシートをさらに備え、該プローブシートは貫通穴を有し、前記ロードセルの前記突出部は、前記貫通穴と前記プローブの前記中空部とに挿通される、
請求項１に記載のシステム。
【請求項１０】
前記プローブハブは、前記ロードセルと前記プローブの一部とを収容するように構成される、
請求項１に記載のシステム。
【請求項１１】
前記プローブハブの前記空洞は、前記プローブの前記一部の外径と実質的に等しい内径を含む、
請求項１０に記載のシステム。
【請求項１２】
前記プローブハブ前記の空洞は、該空洞内に収容された前記プローブの前記一部の位置に対応する第１の内径と、前記空洞内に収容された前記ロードセルの位置に対応する第2の内径とを含み、前記第１の内径は第２の内径と異なる、
請求項１０に記載のシステム。
【請求項１３】
前記第１の内径は、前記第２の内径よりも大きい、
請求項１２に記載のシステム。
【請求項１４】
前記第１の内径は、前記プローブの前記一部の外径と実質的に等しく、前記第２の内径は、前記ロードセルの外径と実質的に等しい、
請求項１２に記載のシステム。
【請求項１５】
前記プローブ構造は、前記プローブと前記ロードセルとの間に介在するプローブシートをさらに備え、前記第１の内径は、前記空洞内に収容された前記プローブシートの位置にさらに対応する、
請求項１２に記載のシステム。
【請求項１６】
前記ロードセルは、複数の軸に沿って前記プローブに加わる力を検出するように構成される、
請求項１に記載のシステム。
【請求項１７】
被験者への利用のための超音波システムの製造方法であって、
前記被験者に対してプローブ構造を配置するために自動ロボットをプローブ構造に取り付けるステップを、含み、
前記プローブ構造は、
音響エネルギーを放出し、中空部を画成するプローブと、
前記プローブの下部に位置し、突出部を備えたロードセルと、を含み、
前記ロードセルは、前記プローブにより前記被験者に対して加わる力の量を示す力示数を測定し、前記自動ロボットは、前記力示数に応じて前記プローブにより前記被験者に対して加わる力の量を調整するようにさらに構成され、前記プローブの中空部は、前記ロードセルと前記プローブとを一体に固定するために、前記ロードセルの前記突出部を受け入れ、
前記プローブ構造は、
前記プローブ及び前記ロードセルを受け取る空洞を含むプローブハブ、
を含む、
ことを特徴とする方法。
【請求項１８】
前記自動ロボットは、前記力示数が第１の閾値を上回るのに応じて、前記被験者に加わる力の量を減らすように構成されている、
請求項１に記載のシステム。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
チャンバハウジングと、焼結される物体用の焼結プラットホームとの間に形成された炉チャンバと、前記炉チャンバ内にマイクロ波を放出するように配置されたマイクロ波源とを含むマイクロ波炉であって、前記マイクロ波炉が更に、少なくとも２３℃〜７００℃の材料の温度範囲にわたってマイクロ波と結合する材料を含むサセプタを有しており、前記サセプタ及び前記炉チャンバが、前記サセプタが前記炉チャンバに対して配置された第１の位置と、前記サセプタが前記第１の位置に対して前記炉チャンバから更に後退して配置された第２の位置との間で、互いに対して移動可能である、マイクロ波炉。
【請求項２】
前記炉チャンバが開放及び閉鎖が可能であり、前記炉チャンバが閉鎖している間に前記サセプタ及び前記焼結プラットホームが互いに対して移動可能である、請求項１に記載のマイクロ波炉。
【請求項３】
前記サセプタが前記第１の位置において前記炉チャンバ内に延在しており、前記サセプタが前記第２の位置において前記炉チャンバの外側に位置している、請求項１又は２に記載のマイクロ波炉。
【請求項４】
前記サセプタを、前記第１の位置と前記第２の位置の決められた中間位置に停止させるように構成されている、請求項１〜３のいずれか一項に記載のマイクロ波炉。
【請求項５】
前記サセプタが前記プラットホームと前記ハウジングとの間の間隙内に配置されている、請求項１〜４のいずれか一項に記載のマイクロ波炉。
【請求項６】
前記第１の位置にある前記サセプタが前記プラットホームが面している空間を囲んでいる、請求項１〜５のいずれか一項に記載のマイクロ波炉。
【請求項７】
前記サセプタが炭化ケイ素（ＳｉＣ）を含む、請求項１〜６のいずれか一項に記載のマイクロ波炉。
【請求項８】
前記マイクロ波炉の稼働を制御するための制御システムを有し、前記マイクロ波炉が、前記制御システムの制御により前記サセプタを移動させるように構成されている、請求項１〜７のいずれか一項に記載のマイクロ波炉。
【請求項９】
前記マイクロ波源が３００ＭＨｚ〜３００ＧＨｚの周波数の電磁波を発生するためにマグネトロンに基づいている、請求項１〜８のいずれか一項に記載のマイクロ波炉。
【請求項１０】
前記マイクロ波源が、焼結のための前記マイクロ波炉の唯一のエネルギ源である、請求項１〜９のいずれか一項に記載のマイクロ波炉。
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
介入処置中に対象内の介入器具をナビゲートする際に支援するためのナビゲーション支援システムであって、前記ナビゲーション支援システムは、
前記介入器具の現在の位置及び形状を提供するための位置及び形状提供ユニットと、
前記介入器具が移動されるべきターゲットの位置を定めるターゲット位置を提供するためのターゲット位置提供ユニットと、
前記介入器具の可能な構成を示す構成情報を提供するための構成情報提供ユニットと、
前記介入器具の前記現在の位置及び形状、前記ターゲット位置、及び前記構成情報に基づいて、前記介入器具が前記ターゲットに到達することを可能にする、前記介入器具のための可能なパスを決定するためのパス決定ユニットと、
決定された前記可能なパスを表示するためのディスプレイと、
を備える、ナビゲーション支援システムにおいて、
前記構成情報提供ユニットは、前記介入器具が移動される間に前記位置及び形状提供ユニットによって提供された前記介入器具の現在の位置及び形状に基づいて前記構成情報を決定し、決定された前記構成情報を提供することを特徴とする、ナビゲーション支援システム。
【請求項２】
前記位置及び形状提供ユニットは、光学的形状感知によって前記現在の位置及び形状を提供する、請求項１に記載のナビゲーション支援システム。
【請求項３】
前記ナビゲーション支援システムは、解剖学的要素を示す解剖学的要素インジケータを提供するための解剖学的要素インジケータ提供ユニットと、示された前記解剖学的要素を示す対象の画像を提供するための画像提供ユニットとを更に備え、前記ターゲット位置提供ユニットは、示された前記解剖学的要素インジケータ及び提供された前記画像に基づいて前記ターゲット位置を決定し、決定された前記ターゲット位置を提供する、請求項１に記載のナビゲーション支援システム。
【請求項４】
前記ナビゲーション支援システムは、実施されるべき介入処置を示す介入処置インジケータを提供するための介入処置インジケータ提供ユニットと、介入処置インジケータと解剖学的要素を示す解剖学的要素インジケータとの間での割当てを提供するための割当て提供ユニットとを更に備え、前記解剖学的要素インジケータ提供ユニットは、提供された前記介入処置インジケータ及び提供された前記割当てに基づいて前記解剖学的要素インジケータを決定し、決定された前記解剖学的要素インジケータを提供する、請求項３に記載のナビゲーション支援システム。
【請求項５】
前記ターゲット位置提供ユニットは、ユーザが、前記ターゲット位置を入力し、入力された前記ターゲット位置を提供することを可能にする、請求項１に記載のナビゲーション支援システム。
【請求項６】
前記ナビゲーション支援システムは、前記対象内の解剖学的構造を示す解剖学的情報を提供するための解剖学的情報提供ユニットを更に備え、前記パス決定ユニットは、前記解剖学的情報にも基づいて前記可能なパスを決定する、請求項１に記載のナビゲーション支援システム。
【請求項７】
前記ナビゲーション支援システムが、前記介入処置の実施中に前記介入器具を移動する間に考慮されるべき介入処置制約条件を提供するための介入処置制約条件提供ユニットを更に備え、前記パス決定ユニットは、前記介入処置制約条件にも基づいて前記可能なパスを決定する、請求項１に記載のナビゲーション支援システム。
【請求項８】
前記パス決定ユニットは、前記介入器具が前記ターゲットに到達することを可能にする前記可能なパスが決定不能であるなら、前記介入器具の前記現在の位置及び形状、前記ターゲット位置、及び前記介入器具の前記可能な構成に基づいて、前記介入器具が前記ターゲットにできる限り近い位置に到達することを可能にする前記可能なパスを決定する、請求項１に記載のナビゲーション支援システム。
【請求項９】
前記ナビゲーション支援システムは、経皮的僧帽弁修復処置を実施し、前記ターゲット位置提供ユニットは、僧帽弁の位置を前記ターゲット位置として提供する、請求項１に記載のナビゲーション支援システム。
【請求項１０】
前記経皮的僧帽弁修復処置は、前記対象の心臓の左心房内に前記介入器具が導入されることを可能にするために、穿刺場所において心房中隔を穿刺することを含み、前記パス決定ユニットは、心房中隔が穿刺されることを意図される心房中隔上の場所に前記介入器具の遠位先端部が位置したときに、僧帽弁に到達するための前記可能なパスを決定する、請求項９に記載のナビゲーション支援システム。
【請求項１１】
介入処置を実施するための介入システムであって、
介入器具と
介入処置中に対象内の介入器具をナビゲートする際に支援するための請求項１に記載のナビゲーション支援システムと、
を備える、介入システム。
【請求項１２】
経皮的僧帽弁修復処置のための穿刺場所を見つけるための、請求項１に記載のナビゲーション支援システムの使用であって、前記穿刺場所において、前記対象の心臓の左心房内に前記介入器具が導入されることを可能にするために心房中隔は穿刺され、前記パス決定ユニットは、心房中隔上の場所に前記介入器具の遠位先端部が位置したときに、僧帽弁に到達するための前記可能なパスを決定するために使用される、ナビゲーション支援システムの使用。
【請求項１３】
介入処置中に対象内の介入器具をナビゲートする際に支援するためのナビゲーション支援方法であって、
位置及び形状提供ユニットによって、前記介入器具の現在の位置及び形状を提供するステップと、
ターゲット位置提供ユニットによって、前記介入器具が移動されるべきターゲットの位置を定めるターゲット位置を提供するステップと、
構成情報提供ユニットによって、前記介入器具の可能な構成を示す構成情報を提供するステップと、
パス決定ユニットによって、前記介入器具の前記現在の位置及び形状、前記ターゲット位置、及び前記構成情報に基づいて、前記介入器具が前記ターゲットに到達することを可能にする可能なパスを決定するステップと、
ディスプレイによって、決定された前記可能なパスを表示するステップと、
を有する、ナビゲーション支援方法において、
前記構成情報提供ユニットは、前記介入器具が移動される間に前記位置及び形状提供ユニットによって提供された前記介入器具の現在の位置及び形状に基づいて前記構成情報を決定し、決定された前記構成情報を提供することを特徴とする、ナビゲーション支援方法。
【請求項１４】
介入処置中に対象内の介入器具をナビゲートする際に支援するためのコンピュータプログラムであって、前記コンピュータプログラムがナビゲーション支援システム上で実行されたときに、請求項１に記載のナビゲーション支援システムに、請求項１３に記載のナビゲーション支援方法を実行させるプログラムコード手段を備える、コンピュータプログラム。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
医療用吸入器で使用するための流れ調整器であって、
空気流路の少なくとも一部分を画定する管状要素であり、前記空気流路内の空気流に応じて内側に曲がるように構成された少なくとも１つの可撓壁を備える、管状要素と、
前記管状要素内に配置されており、前記管状要素の前記少なくとも１つの可撓壁が内側に曲がったとき、前記管状要素内の前記空気流路の少なくとも所定の断面積を維持するように構成されている内部支持構造体と、
を備えている、流れ調整器。
【請求項２】
前記管状要素は、つぶれていない状態とつぶれた状態との間で実質的に双安定である、請求項１に記載の流れ調整器。
【請求項３】
前記内部支持構造体は、前記管状要素に比べて剛性であり、前記管状要素は、前記内部支持構造体に比べて可撓性である、請求項１又は２に記載の流れ調整器。
【請求項４】
前記内部支持構造体は、外壁を有する基部を有し、前記管状要素の端部は、前記内部支持構造体の前記基部の前記外壁上に伸びる、請求項１〜３のいずれか一項に記載の流れ調整器。
【請求項５】
前記内部支持構造体は、少なくとも１つの中空の柱を含み、前記流れ調整器を通る前記空気流路は、前記内部支持構造体の外壁と前記管状要素との間の空間と、少なくとも１つの中空の柱内の空間と、を含む、請求項１〜４のいずれか一項に記載の流れ調整器。
【請求項６】
前記内部支持構造体は、少なくとも１つの中空の柱を含み、前記少なくとも１つの中空の柱は、前記柱の中にルーメンを画定する、請求項１〜５のいずれか一項に記載の流れ調整器。
【請求項７】
前記内部支持構造体は、少なくとも１つの中実の柱を含む、請求項１〜６のいずれか一項に記載の流れ調整器。
【請求項８】
前記内部支持構造体は、前記管状要素の長手方向に実質的に平行に方向付けられている２つの柱と、前記２つの柱を結合するように配置されたクロスメンバーであって、前記長手方向に対して非ゼロ角度に方向付けられているクロスメンバーと、を含む、請求項１〜７のいずれか一項に記載の流れ調整器。
【請求項９】
前記医療用吸入器の空気流路と流体連通した状態で配置された、請求項１〜８のいずれか一項に記載の少なくとも１つの流れ調整器を備える医療用吸入器。
【請求項１０】
並列で配置された少なくとも２つの流れ調整器を含む、請求項９に記載の医療用吸入器。
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
音響プローブと前記音響プローブに接続される音響撮像機とを備える、関心領域の画像を提供するための超音波システムであって、前記音響プローブは、
第１の主面及び第２の主面を有する基板であって、前記第１の主面から前記第２の主面まで前記基板を通過する開口部を備える少なくとも１つのデバイス挿入ポートをさらに有し、前記開口部が介入デバイスの挿入に好適である、基板と、
前記基板によって支持され、前記基板の活性領域を画定する音響変換器素子のアレイであって、前記アレイが前記少なくとも１つのデバイス挿入ポートの周りに配置される、音響変換器素子のアレイとを有し、
前記音響撮像機は、
前記音響変換器素子の選択を体系的に変化させ、また、各選択について、
選択の音響変換器素子が音響プローブ信号を関心領域へ送信させるために前記選択の音響変換器素子に送信信号を提供し、
前記デバイス挿入ポートを通過して前記関心領域内へと入る前記介入デバイスの遠位端に設けられた音響受信器からの前記送信信号のフィードバック信号を記録し、  前記音響撮像機がさらに、
前記音響変換器素子の好ましい選択を特定するために、記録された前記フィードバック信号を評価し、
好ましい選択の音響変換器素子がさらなる音響プローブ信号を前記関心領域へ送信させるために前記好ましい選択の音響変換器素子にさらなる信号を送信し、
前記さらなる音響プローブ信号に応答して前記関心領域からの前記音響プローブによって受信される音響エコーから前記関心領域の音響画像を生成する、超音波システム。
【請求項２】
前記音響撮像機が、前記選択の各々について前記音響受信器上への前記送信信号の焦点の質を評定するためのメトリックを使用して、前記音響変換器素子の前記好ましい選択を特定するために、記録された前記フィードバック信号を評価する、請求項１に記載の超音波システム。
【請求項３】
各選択が、前記音響プローブの活性アパーチャを画定し、前記音響撮像機が、前記活性アパーチャの場所及び前記活性アパーチャのサイズのうちの少なくとも一方の体系的変化によって前記音響変換器素子の前記選択を体系的に変化させる、請求項１に記載の超音波システム。
【請求項４】
前記音響撮像機が、
規定のサイズを有する前記活性アパーチャの場所を体系的に変化させること、及び
前記活性アパーチャの規定のサイズ範囲に基づいて、前記規定のサイズ範囲内の各サイズが使用されるまで、前記活性アパーチャのサイズを再規定すること
を繰り返し行うことによって、前記音響変換器素子の前記選択を体系的に変化させる、請求項３に記載の超音波システム。
【請求項５】
前記音響撮像機がさらに、前記音響変換器素子の前記選択の体系的変化の間、前記音響変換器素子の各選択についてビームステアリング角を体系的に変化させる、請求項１又は２に記載の超音波システム。
【請求項６】
前記音響撮像機がさらに、前記音響受信器からの前記フィードバック信号を使用して、前記音響プローブによって受信される前記音響エコーに対して前記音響受信器の場所をレジストレーションする、請求項１に記載の超音波システム。
【請求項７】
前記音響撮像機がさらに、前記音響受信器のレジストレーションされた前記場所に基づいて前記音響画像内の収差アーチファクトを軽減するように配置されるプロセッサを備える、請求項６に記載の超音波システム。
【請求項８】
前記基板が、凹状ディスクの形状を有し、前記音響変換器素子の前記アレイによって画定される前記基板の前記活性領域が、少なくとも１２ｃｍの直径を有する、請求項１に記載の超音波システム。
【請求項９】
対象者の皮膚に適用される基板であって、前記基板が、第１の主面及び第２の主面を有し、前記第１の主面から前記第２の主面まで前記基板を通過する開口部を備える少なくとも１つのデバイス挿入ポートをさらに有する、基板と、前記基板によって支持され、前記少なくとも１つのデバイス挿入ポートの周りに配置される音響変換器素子のアレイと、を備える音響プローブを提供するステップと、
前記音響変換器素子の選択を体系的に変化させ、また、各選択について、
選択の音響変換器素子が音響プローブ信号を関心領域へ送信させるために前記選択の音響変換器素子に送信信号を提供し、
前記デバイス挿入ポートを通過して前記関心領域内へと入る介入デバイスの遠位端に設けられた音響受信器からの前記送信信号のフィードバック信号を記録する、ステップと、
前記音響変換器素子の好ましい選択を特定するために、記録された前記フィードバック信号を評価するステップと、
好ましい選択の音響変換器素子がさらなる音響プローブ信号を前記関心領域へ送信させるために前記好ましい選択の音響変換器素子にさらなる信号を送信するステップと、
前記さらなる音響プローブ信号に応答して前記関心領域からの前記音響プローブによって受信される音響エコーから前記関心領域の音響画像を生成するステップと
を有する、関心領域の画像を提供するための方法。
【請求項１０】
前記音響変換器素子の前記好ましい選択を特定するために、前記記録されたフィードバック信号を評価するステップが、前記選択の各々について前記音響受信器上への前記送信信号の焦点の質を評定するためのメトリックを使用することを含む、請求項９に記載の方法。
【請求項１１】
各選択が、前記音響プローブの活性アパーチャを画定し、前記音響変換器素子の選択を体系的に変化させるステップが、前記活性アパーチャの場所及び前記活性アパーチャのサイズのうちの少なくとも一方を体系的に変化させることを含む、請求項９に記載の方法。
【請求項１２】
前記音響変換器素子の選択を体系的に変化させるステップが、
規定のサイズを有する前記活性アパーチャの場所を体系的に変化させること、及び前記活性アパーチャの規定のサイズ範囲に基づいて、前記規定のサイズ範囲内の各サイズが使用されるまで、前記活性アパーチャのサイズを再規定することを繰り返し行うことを含む、請求項１１に記載の方法。
【請求項１３】
前記音響変換器素子の前記選択の体系的変化の間、前記音響変換器素子の各選択についてビームステアリング角を体系的に変化させるステップをさらに有する、請求項９に記載の方法。
【請求項１４】
前記音響受信器からの前記フィードバック信号を使用して、前記音響プローブによって受信される前記音響エコーに対して前記音響受信器の場所をレジストレーションするステップと、
前記音響エコーに対する前記音響受信器の前記場所の前記レジストレーションを使用して、前記音響画像内の収差アーチファクトを軽減するステップとをさらに有する、請求項９に記載の方法。
【請求項１５】
前記関心領域内の前記介入デバイスの位置の変化に応答して前記音響変換器素子の好ましい選択を特定するために、前記音響変換器素子の前記選択の体系的変化と、記録された前記フィードバック信号の前記評価とを繰り返すステップをさらに有する、請求項９に記載の方法。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
少なくとも１つの関心領域のそれぞれに対して所定手順を連続的に行う超音波システムであって、
関心領域に向けて第１の超音波信号を送信し、前記関心領域からエコー信号を受信する超音波プローブと、
前記超音波プローブの動きを検出し、前記超音波プローブの前記動きを示す動き信号を生成する動きセンサと、
前記動き信号が前記超音波プローブは静止していることを示す場合に、前記関心領域から受信する前記エコー信号に基づいて、関心領域に対する所定手順を行うプロセッサと、
を含む、超音波システム。
【請求項２】
前記超音波プローブは、前記動き信号が前記超音波プローブは静止していることを示す場合に、前記第１の超音波信号を送信し始める、請求項１に記載の超音波システム。
【請求項３】
前記超音波プローブは、前記第１の超音波信号を送信する前に、第２の超音波信号を送信する、請求項２に記載の超音波システム。
【請求項４】
前記プロセッサは更に、前記所定手順の完了を示す指標を生成する、請求項１から３の何れか一項に記載の超音波システム。
【請求項５】
前記指標を提示するユーザインターフェースを更に含む、請求項４に記載の超音波システム。
【請求項６】
関心領域に対する前記所定手順は、前記関心領域から受信する前記エコー信号から前記関心領域の特徴を抽出する手順を含む、請求項１から３の何れか一項に記載の超音波システム。
【請求項７】
関心領域に対する前記所定手順は、前記関心領域から受信する前記エコー信号に基づいて、気胸を検出する手順を含む、請求項６に記載の超音波システム。
【請求項８】
報告モジュールを更に含み、前記プロセッサは、関心領域に対する前記所定手順の結果を提供し、前記報告モジュールは、前記少なくとも１つの関心領域の所定順序に従って、前記少なくとも１つの関心領域のうちの現在の関心領域を特定し、前記プロセッサによって提供された結果を、前記現在の関心領域の結果として記録し、前記少なくとも１つの関心領域は、複数の関心領域を含む、請求項１に記載の超音波システム。
【請求項９】
前記報告モジュールによって記録される前記結果を視覚化するユーザインターフェースを更に含む、請求項８に記載の超音波システム。
【請求項１０】
戻るためのユーザ入力を受信するユーザインターフェースと、
記録された前記結果及び前記ユーザ入力に基づいて、前記現在の関心領域を特定する戻りモジュールと、
を更に含む、請求項８に記載の超音波システム。
【請求項１１】
前記関心領域から受信する前記エコー信号から、超音波音響陰影のサイズと関心領域の総面積との比を計算し、前記比を所定閾値と比較することによって位置インジケータを生成する位置検証モジュールを更に含む、請求項１に記載の超音波システム。
【請求項１２】
前記動きセンサは加速度計である、請求項１に記載の超音波システム。
【請求項１３】
少なくとも１つの関心領域のそれぞれに対して所定手順を連続的に行う超音波方法であって、
関心領域に向けて第１の超音波信号を送信し、前記関心領域からエコー信号を受信するステップと、
超音波プローブの動きを検出し、前記超音波プローブの前記動きを示す動き信号を生成するステップと、
前記動き信号が前記超音波プローブは静止していることを示す場合に、前記関心領域から受信する前記エコー信号に基づいて、関心領域に対する所定手順を行うステップと、
を含む、超音波方法。
【請求項１４】
前記動き信号が前記超音波プローブは静止していることを示す場合に、前記第１の超音波信号を送信し始めるステップを更に含む、請求項１３に記載の超音波方法。
【請求項１５】
前記第１の超音波信号を送信する前に、第２の超音波信号を送信するステップを更に含む、請求項１４に記載の超音波方法。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
トランスデューサによって受信される音響信号から生成される入力アナログ電気波形を受信するステップと、
前記入力アナログ電気波形に基づいて、１対の実質的に同一の中間アナログ電気波形を生成するように、第１の非破壊的読み取り操作を行い、第２の読み取り操作を行うステップと、
前記中間アナログ電気波形のうちの一方を、他方に対して遅延させるステップと、
フィルタリングされたアナログ電気波形を生成するように、遅延された前記中間アナログ電気波形を前記他方の中間アナログ電気波形と合計するステップと、
を含み、
前記遅延の量は、アナログメモリのサンプリングレート、及び、前記入力アナログ電気波形の基本周波数に少なくとも部分的に基づいている、方法。
【請求項２】
前記遅延させるステップは、
前記トランスデューサと電気的に通信する入力線に接続される複数の書き込みスイッチを動作させるように書き込みシフトレジスタを使用するステップと、
複数の出力をそれぞれ有する複数の容量素子に電荷を蓄積するステップと、
様々な出力において、前記量だけ遅延された時間において、前記電荷が読み取られるように、前記複数の出力に接続される複数の読み取りスイッチを動作させるように複数の読み出しシフトレジスタを使用するステップと、
を含む、請求項１に記載の方法。
【請求項３】
前記フィルタリングされたアナログ電気波形は、前記基本周波数において大幅に減衰されている、請求項１に記載の方法。
【請求項４】
前記フィルタリングされたアナログ電気波形は、前記基本周波数の高調波においては大幅に減衰されていない、請求項３に記載の方法。
【請求項５】
前記合計の前に、前記中間アナログ電気波形のうちの一方が、他方に対して重み付けされる、請求項１に記載の方法。
【請求項６】
前記フィルタリングされたアナログ電気波形は、大幅に減衰されているＤＣ成分を有する、請求項１に記載の方法。
【請求項７】
前記フィルタリングされたアナログ電気波形は、前記基本周波数の高調波において大幅に減衰されていない、請求項６に記載の方法。
【請求項８】
前記重み付けは、重み付けされる前記中間アナログ電気波形に関連付けられる読み出しポートの出力インピーダンスを調整することを含む、請求項５に記載の方法。
【請求項９】
前記入力アナログ電気波形の前記基本周波数は、前記音響信号の発生源の深度によって変化し、前記遅延の量は、前記基本周波数の変化に従って変化する、請求項１に記載の方法。
【請求項１０】
前記フィルタリングされたアナログ電気波形をデジタル信号に変換するステップを更に含む、請求項１に記載の方法。
【請求項１１】
前記変換するステップは、ダイナミックレンジを有するアナログ−デジタル変換器を使用するステップを含み、前記フィルタリングされたアナログ電気波形に適用される利得は、前記アナログ−デジタル変換器の前記ダイナミックレンジを飽和させず、同じ利得が、前記入力アナログ電気波形に適用されたならば、前記アナログ−デジタル変換器の前記ダイナミックレンジを飽和させる、請求項１０に記載の方法。
【請求項１２】
請求項１に記載の方法を使用して、超音波音響信号をフィルタリングするステップを含む、超音波撮像操作を行う方法。
【請求項１３】
超音波撮像用の受信ビームフォーマであって、
少なくとも１つのトランスデューサ素子からの受信音響信号から生成される入力アナログ電気波形を受信する入力線と、
前記入力アナログ電気波形に基づいて、１対の実質的に同一の中間アナログ電気波形を生成するように、第１の非破壊的読み取り操作が行われ、第２の読み取り操作が行われることを可能にし、
前記中間アナログ電気波形のうちの一方を、他方に対して遅延させる
アナログメモリと、
フィルタリングされたアナログ電気波形を生成するように、遅延された前記中間アナログ電気波形を他方の中間アナログ電気波形と合計する加算素子と、
を含み、
前記遅延の量は、前記アナログメモリのサンプリングレート、及び、前記入力アナログ電気波形の基本周波数に少なくとも部分的に基づいている、受信ビームフォーマ。
【請求項１４】
前記アナログメモリは、
前記入力線に接続される書き込みスイッチを動作させる書き込みシフトレジスタと、
様々な遅延時間において、複数の出力から読み出されることが可能である電荷を蓄積する容量素子と、
第１の時間において、前記複数の出力のうちの１つから電圧が読み取られ、遅延時間において、前記複数の出力のうちの別の１つから電圧が読み取られるように、前記複数の出力に接続される読み取りスイッチを動作させる読み取りシフトレジスタと、
を含み、
前記加算素子は、前記容量素子の出力と前記容量素子の遅延された出力とを合計する、請求項１３に記載の受信ビームフォーマ。
【請求項１５】
前記中間アナログ電気波形のうちの対応する１つを受信し、前記中間アナログ電気波形のうちの対応する前記１つを前記加算素子の対応する入力にそれぞれ渡す複数のバッファを更に含む、請求項１３に記載の受信ビームフォーマ。
【請求項１６】
対応するバッファから前記中間アナログ電気波形のうちの対応する１つをそれぞれ受信し、可変インピーダンスをそれぞれ含む１対のマルチプレクサを更に含み、前記可変インピーダンスは、前記中間アナログ電気波形に相対重み付けを適用するように、前記マルチプレクサの利得を変更するように調整可能である、請求項１５に記載の受信ビームフォーマ。
【請求項１７】
前記遅延は、前記入力アナログ電気波形の基本周波数を大幅に減衰させ、前記入力アナログ電気波形の高調波周波数を通すように選択される、請求項１３に記載の受信ビームフォーマ。
【請求項１８】
前記中間アナログ電気波形の前記遅延及び相対重み付けは、前記入力アナログ電気波形のＤＣ成分を大幅に減衰させるように選択される、請求項１３に記載の受信ビームフォーマ。
【請求項１９】
前記遅延は、前記入力アナログ電気波形によって表される前記受信音響信号の発生源の深度に従って変化するように選択される、請求項１３に記載の受信ビームフォーマ。
【請求項２０】
超音波プローブ内に設置され、超音波撮像システムに結合される、請求項１３に記載の受信ビームフォーマ。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
組織部位を治療するシステムにおいて、
前記組織部位と接触するように適合された組織インタフェースと、カバーであって、前記カバーの一方の側に近接する前記組織インタフェースを含む治療環境と、前記カバーの他方の側における局所外部環境との間に流体シールを提供するように適合されたカバーとを含むドレッシングと、
溶液源に流体結合するように動作可能であり、かつペルオキシα−ケトカルボン酸を含む抗菌溶液を前記組織インタフェースに送達するように溶液源を作動させるように適合された正圧源と、
前記ドレッシングに流体結合され、かつ前記抗菌流体の前記治療環境への送達後、前記治療環境に負圧を提供するように適合された負圧源と
を含むことを特徴とするシステム。
【請求項２】
請求項１に記載のシステムにおいて、前記負圧源は、前記抗菌流体の前記治療環境への送達前、その間、またはその後に前記治療環境に負圧を提供するようにさらに適合されていることを特徴とするシステム。
【請求項３】
請求項１に記載のシステムにおいて、圧力制御モードにおいて前記治療環境に標的圧力を提供するように前記負圧源に作動的に結合されたプロセッサをさらに含むことを特徴とするシステム。
【請求項４】
請求項１に記載のシステムにおいて、動的圧力モードにおいて前記治療環境に可変標的圧力を提供するように前記負圧源に作動的に結合されたプロセッサをさらに含むことを特徴とするシステム。
【請求項５】
請求項１に記載のシステムにおいて、所定の投与量または所定の時間の一方または両方で前記治療環境に前記抗菌溶液を提供するように前記正圧源に作動的に結合されたプロセッサをさらに含むことを特徴とするシステム。
【請求項６】
請求項１に記載のシステムにおいて、前記抗菌溶液の前記治療環境への提供前、その間、またはその後に前記治療環境に負圧を提供するように前記負圧源および前記正圧源に作動的に結合されたプロセッサをさらに含むことを特徴とするシステム。
【請求項７】
請求項１に記載のシステムにおいて、前記溶液源は、前記抗菌溶液で充填された容器であることを特徴とするシステム。
【請求項８】
請求項１に記載のシステムにおいて、前記ペルオキシα−ケトカルボン酸は、ペルオキシピルビン酸であることを特徴とするシステム。
【請求項９】
請求項１に記載のシステムにおいて、前記組織インタフェースは、前記治療環境に前記抗菌流体を分配するための相互接続された細孔を有する多孔質発泡材料を含むマニホールドであることを特徴とするシステム。
【請求項１０】
請求項９に記載のシステムにおいて、前記細孔は、４００〜６００ミクロンの範囲の径を有することを特徴とするシステム。
【請求項１１】
組織部位を治療するドレッシングにおいて、
前記組織部位に負圧を分配するための通路を形成する相互接続された細孔を有する多孔質発泡材料を含み、かつ前記組織と接触するように適合された組織インタフェースと、
カバーであって、前記カバーの一方の側に近接する前記組織インタフェースを含む治療環境と、前記カバーの他方の側における局所外部環境との間に流体シールを提供するように適合されたカバーと、
前記多孔質発泡材料の少なくとも一部を透過するペルオキシα−ケトカルボン酸を含む抗菌溶液と
を含み、
前記多孔質発泡材料は、前記治療環境に負圧および前記抗菌流体の両方を送達するように動作可能な細孔径を有することを特徴とするドレッシング。
【請求項１２】
請求項１１に記載のドレッシングにおいて、前記多孔質発泡材料は、４００〜６００ミクロンの範囲の細孔径を有することを特徴とするドレッシング。
【請求項１３】
請求項１１に記載のドレッシングにおいて、前記ペルオキシα−ケトカルボン酸は、ペルオキシピルビン酸であることを特徴とするドレッシング。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
スライドファスナであって、
１対の対向する織り又は編み基材であって、それぞれの基材が、互いに相手方と対向して位置する連続パネル区画と、それぞれの連続パネル区画の側方外向きに延在する複数の長手方向に並んだパネル区画と、を画定し、それぞれのパネル区画は、いかなる尾部もないように、対向する区画化基材の形成中に形成および仕上げられる仕上がり周辺縁部を画定し、それぞれのパネル区画はそれぞれ対向する仕上がり周辺縁部同士の間の隙間によって隣接するパネル区画から分離されている、１対の対向する織り又は編み基材と、
前記連続パネル区画のうち一方の区画の縁部に沿って互いの長手方向に位置する第１の複数のファスナ要素、及び前記連続パネル区画のうち他方の区画の縁部に沿って互いの長手方向に位置する第２の複数のファスナ要素と、
前記第１の複数及び前記第２の複数のファスナ要素とスライド可能に係合しているスライダであって、前記第１の複数のファスナ要素を前記第２の複数のファスナ要素との嵌合係合へと動かすこと、及び前記第１の複数のファスナ要素を前記第２の複数のファスナ要素との嵌合係合から係合解除することを行うように構成されている、スライダと、
を含む、スライドファスナ。
【請求項２】
前記１対の基材のそれぞれは、編み構造を含む、請求項１に記載のスライドファスナ。
【請求項３】
それぞれのパネル区画は、前記パネル区画の１つの仕上がり縁部から当該パネル区画の反対側の仕上がり縁部まで長手方向に延在する対応する複数のパネルたて糸を含む、請求項２に記載のスライドファスナ。
【請求項４】
選択されたパネル内の前記パネルたて糸のそれぞれが、当該選択されたパネル内の他のパネルたて糸と比較して等価な長さを有する、請求項３に記載のスライドファスナ。
【請求項５】
選択されたパネル内の隣接するパネルたて糸が、相互に異なる長さを有することにより、
隣接するパネル区画からの不均一な長手方向のノッチを形成する、請求項３に記載のスライドファスナ。
【請求項６】
前記１対の基材のそれぞれは、それぞれの連続パネル区画の側方最内縁部から側方最外仕上がり縁部まで延在する複数の編み列を有する編まれた構造を含む、請求項１に記載のスライドファスナ。
【請求項７】
パネル区画に対応するそれぞれの編み列は、前記それぞれの基材のノッチ付き領域に対応するそれぞれの編み列よりも側方方向に比較的長い、請求項６に記載のスライドファスナ。
【請求項８】
それぞれの隙間は、均一な長手方向寸法を有する、請求項７に記載のスライドファスナ。
【請求項９】
それぞれの隙間は、不均一な長手方向寸法を有する、請求項６に記載のスライドファスナ。
【請求項１０】
それぞれの仕上がり縁部は、結束糸を含む、請求項６に記載のスライドファスナ。
【請求項１１】
基材であって、
対向する第１及び第２のパネルであって、湾曲開口が前記第１のパネルと前記第２のパネルとの間の位置で前記基材を貫いて延在する、対向する第１及び第２のパネルと、
それぞれの複数の並んだパネル区画を画定する１対の対向する区画化基材を有する湾曲スライドファスナであって、前記区画化基材のうちの一方に対応する前記並んだパネル区間のそれぞれは、前記第１及び前記第２のパネルのうちの対応する一方に添付され、前記区画化基材のうちの他方に対応する前記並んだパネル区間のそれぞれは、前記第１及び前記第２のパネルのうちの他方に添付され、前記並んだパネル区間のそれぞれの周辺縁部は、いかなる尾部もないように、対向する区画化基材の形成中に形成および仕上げられ、前記スライドファスナは、複数の嵌合係合可能なファスナ要素を有し、スライドが、ファスナ要素を互いに嵌合係合へと動かすこと、及び嵌合係合されたファスナ要素を互いに離れる方に動かすことを行うように構成されている、湾曲スライドファスナと、
を含む、基材。
【請求項１２】
前記対向する第１及び第２のパネルは、単一構造のそれぞれの部分を構成する、請求項１１に記載の基材。
【請求項１３】
前記第１のパネルは、第１の構造の部分を構成し、前記第２のパネルは、第２の構造の部分を構成し、前記第１の構造と前記第２の構造とは、縫い目で一緒に接合される、請求項１１に記載の基材。
【請求項１４】
前記湾曲開口は、第１の末端部から第２の末端部まで延在し、前記開口の曲率は、前記第１の末端部と前記第２の末端部との間で変化する、請求項１１に記載の基材。
【請求項１５】
前記湾曲開口は、前記第１の末端部と前記第２の末端部との間に変曲点を画定する、請求項１４に記載の基材。
【請求項１６】
前記湾曲スライドファスナの前記区画化基材のそれぞれは、編み構造を含む、請求項１１に記載の基材。
【請求項１７】
それぞれの区画化基材のそれぞれのパネル区間は、前記それぞれのパネル区画の１つの仕上がり縁部から前記パネル区画の対向する仕上がり縁部まで長手方向に延在する対応する複数のパネルたて糸を含む、請求項１６に記載の基材。
【請求項１８】
前記区画化基材のそれぞれは、前記それぞれの区画化基材の側方最内縁部から側方最外仕上がり縁部まで延在する複数の編み列を有する編まれた構造を含む、請求項１１に記載の基材。
【請求項１９】
パネル区画に対応するそれぞれの編み列は、隣接するパネル区画の間のそれぞれの区画化基材の領域に対応するそれぞれの編み列よりも側方方向に比較的長い、請求項１８に記載の基材。
【請求項２０】
前記第１のパネル及び前記第２のパネルのうちの一方又は両方は、編まれた、織られた、又はフェルトに作られたテキスタイル、均一なパネル、不均一なパネル、又は、それらの組合せを含む、請求項１１に記載の基材。